(57)【要約】【課題】エレベータの昇降路の特性に着目して、新しい方式で建物内ＬＡＮを敷設し、その建物内ＬＡＮの利用管理を行うことである。【解決手段】エレベータの昇降路を利用して敷設された建物内ＬＡＮの利用管理システムは、利用管理サーバ５０を中心として、利用希望者端末４０、プロバイダー６０の端末、オーナー端末４２を含んで構成される。利用希望者端末４０から利用申込がなされる（Ｓ１８）と、プロバイダー６０の端末は利用管理サーバ５０にアクセスし、利用希望者端末４０の建物内ＬＡＮへの接続に関する利用状況、接続工事日程に関するイベントを検索（Ｓ２４）した回答を得て（Ｓ３４）利用希望者端末４０に返信（Ｓ３６）し、接続工事を行い（Ｓ３８）、工事が完了すれば、利用希望者端末４０のインターネット利用が開始（Ｓ４４）し、利用状況データが更新される（Ｓ４６）。【選択図】図３
2006173667.tif 000002
【特許請求の範囲】
【請求項１】
インターネットに接続され建物内に引きこまれる専用引込み線を建物の各階用の支線に分配し、エレベータ昇降路の中に各階用支線を縦敷設し、各階用支線をそれぞれ昇降路各階の防火穴を介し建物各階の中継器に接続する建物内通信ケーブルにより構成される建物内ＬＡＮの利用を管理するシステムであって、
インターネットを介し、利用希望者の端末と接続される利用管理サーバを備え、
利用管理サーバは、
建物内ＬＡＮの利用状況を、各階の中継器の出力口数及び既利用口数に関連付けて記憶する利用状況記憶部と、
利用希望者端末から、建物内ＬＡＮの利用階を指定した利用希望を受け付け取得する希望取得手段と、
利用希望階をキーとして利用状況記憶部を検索し、利用希望を満たすか否かを判断し、判断結果を利用希望者端末に対し回答する回答手段と、
を含むことを特徴とする建物内ＬＡＮ利用管理システム。
【請求項２】
請求項１に記載の建物内ＬＡＮ利用管理システムにおいて、
利用管理サーバは、さらに、
建物内ＬＡＮの各中継器に関する接続工事の可能日程を規定する建物イベントの日程を、各階の中継器に関連付けて記憶するイベント記憶部を含み、
回答手段は、さらに、
利用希望階をキーとしてイベント記憶部を検索し、利用希望を満たす工事可能日程を利用希望者端末に対し回答することを特徴とする建物内ＬＡＮ利用管理システム。
【請求項３】
請求項１に記載の建物内ＬＡＮ利用管理システムにおいて、
利用管理サーバは、さらに、
複数のインターネットプロバイダーから提供され、その建物内で接続を行った場合の特別あるいは一般の利用料金を含むプロバイダー別の利用条件を記憶する利用条件記憶部を含み、
回答手段は、さらに、
プロバイダー別の利用条件を付して利用希望者端末に対し回答することを特徴とする建物内ＬＡＮ利用管理システム。
【請求項４】
請求項１ないし請求項３のいずれか１に記載の建物内ＬＡＮ利用管理システムにおいて、
利用希望者端末は、その建物の利用希望者からインターネット接続を申し込まれたインターネットプロバイダーのプロバイダー端末であって、
プロバイダー端末はさらにインターネットを介し利用希望者端末と接続され、
利用希望者端末からのインターネット接続申込に応じた利用希望を利用管理サーバに利用希望として送信する送信手段と、
利用管理サーバからの回答を受信し、利用希望者端末に対し回答として返信する返信手段と、
を含むことを特徴とする建物内ＬＡＮ利用管理システム。
【請求項５】
請求項４に記載の建物内ＬＡＮ利用管理システムにおいて、
利用管理サーバは、さらに、
利用管理サーバへのアクセスを許可する許可条件を承認したプロバイダーを登録して記憶する登録記憶部を含むことを特徴とする建物内ＬＡＮ利用管理システム。
【発明の詳細な説明】
【技術分野】
【０００１】
本発明は、建物内ＬＡＮの利用を管理するシステムに係り、特に、建物内ＬＡＮを介してインターネットに接続希望する利用希望者に対する利用管理を行う建物内ＬＡＮ利用管理システムに関する。
【背景技術】
【０００２】
近年、インターネットの利用が一般的となり、マンション等の集合住宅や、複数のテナントが入っているビル等でも、それぞれの構成員が電話回線等を用いてインターネットへの接続を行っている。しかし、データ通信の高速化が進展するに伴い、光ケーブル等で代表される高速データ通信回線の利用希望が高まってくる。
【０００３】
こうした場合、新しく建設を始める建物では、当初から高速データ通信回線のＬＡＮ（Ｌｏｃａｌ  Ａｒｅａ  Ｎｅｔｗｏｒｋ）を建物内に敷設し、利用者の希望を満たすことができる。
【０００４】
これに対し、既に建てられた建物では、その建物の状況に応じ、高速データ通信回線を新たに敷設するリニューアルを行うことになる。そのリニューアルは、建物が複数階を有すると、建物の縦方向に通信回線を通す必要があるので、建物の各階の床に貫通穴を設ける工事が行われる。この工事は、各階の床に既に敷設されている各種配線、各種配管等を避ける必要があるので、事前の調査等を行い、建物の運営に配慮して行われる。このようにして、通信回線を新しく建物内に敷設し、その建物のＬＡＮを完成させると、そのＬＡＮを用いて、その建物の利用者がインターネットプロバイダーに接続を申し込み、高速のデータ通信を享受することができる。
【発明の開示】
【発明が解決しようとする課題】
【０００５】
このように、既に建てられ、複数階を有する建物に高性能の通信回線を利用可能にするには、建物の縦方向に通信回線を通すリニューアル工事を行って建物内ＬＡＮを敷設し、次に、このＬＡＮの利用を管理する必要がある。
【０００６】
建物内ＬＡＮのリニューアル敷設は建物の構造の理解把握が必要であり、敷設されたＬＡＮの利用管理はそのＬＡＮの特性とインターネットプロバイダーの利用条件との関係の理解把握が必要となる。したがって、その建物の管理組織が相当しっかりしていないと、建物の利用者の利用希望にスムーズに対応できないことが生ずる。
【０００７】
例えばマンションを例に取ると、多数のインターネット利用希望者がいても、それぞれの希望条件は様々である。これをマンションのオーナーが１つ１つインターネットプロバイダーに取り次ぐのは大変である。個々の利用希望者が個別にインターネットプロバイダーと交渉する方式にしても、その建物のＬＡＮの性能等を一々オーナーに確認しなければならず、またオーナーがその内容を十分理解しているとも限らない。このように、ＬＡＮの利用管理は、１オーナーや、１利用者の能力では困難なことが多い。
【０００８】
建物内ＬＡＮのリニューアル敷設については、従来技術によれば、上記のように建物の構造を考慮した床の貫通工事が必要となる。ところで、複数階の建物、特に中層以上の建物には通常エレベータが設けられる。このエレベータの昇降路は、建物を縦方向に貫通する空間であるので、火災等を考慮し、防火壁で囲まれている。そして、従来は、エレベータに関する配線、配管のみが敷設出来るように法規制が行われていた。しかし、法規制の問題を除けば、この昇降路は、防火壁に囲まれ防災上、防犯上安全度の高い領域であり、また、既に建物内を縦に貫通しているので、通信回線を縦敷設することに都合がよい。
【０００９】
このように、エレベータの昇降路の特性に着目して新しい方式で建物にＬＡＮを敷設し、その後のＬＡＮ利用を管理することも出来れば、建物のオーナーにとっても、そのＬＡＮの利用希望者にとっても便利である。
【００１０】
本発明の目的は、かかるエレベータの昇降路の特性に着目して、新しい方式で建物内ＬＡＮを敷設し、その建物内ＬＡＮの利用管理を行う建物内ＬＡＮ利用管理システムを提供することである。
【課題を解決するための手段】
【００１１】
本発明に係る建物内ＬＡＮ利用管理システムは、インターネットに接続され建物内に引きこまれる専用引込み線を建物の各階用の支線に分配し、エレベータ昇降路の中に各階用支線を縦敷設し、各階用支線をそれぞれ昇降路各階の防火穴を介し建物各階の中継器に接続する建物内通信ケーブルにより構成される建物内ＬＡＮの利用を管理するシステムであって、インターネットを介し、利用希望者の端末と接続される利用管理サーバを備え、利用管理サーバは、建物内ＬＡＮの利用状況を、各階の中継器の出力口数及び既利用口数に関連付けて記憶する利用状況記憶部と、利用希望者端末から、建物内ＬＡＮの利用階を指定した利用希望を受け付け取得する希望取得手段と、利用希望階をキーとして利用状況記憶部を検索し、利用希望を満たすか否かを判断し、判断結果を利用希望者端末に対し回答する回答手段と、を含むことを特徴とする。
【００１２】
また、本発明に係る建物内ＬＡＮ利用管理システムにおいて、利用管理サーバは、さらに、建物内ＬＡＮの各中継器に関する接続工事の可能日程を規定する建物イベントの日程を、各階の中継器に関連付けて記憶するイベント記憶部を含み、回答手段は、さらに、利用希望階をキーとしてイベント記憶部を検索し、利用希望を満たす工事可能日程を利用希望者端末に対し回答することが好ましい。
【００１３】
また、本発明に係る建物内ＬＡＮ利用管理システムにおいて、利用管理サーバは、さらに、複数のインターネットプロバイダーから提供され、その建物内で接続を行った場合の特別あるいは一般の利用料金を含むプロバイダー別の利用条件を記憶する利用条件記憶部を含み、回答手段は、さらに、プロバイダー別の利用条件を付して利用希望者端末に対し回答することが好ましい。
【００１４】
また、本発明に係る建物内ＬＡＮ利用管理システムにおいて、利用希望者端末は、その建物の利用希望者からインターネット接続を申し込まれたインターネットプロバイダーのプロバイダー端末であって、プロバイダー端末はさらにインターネットを介し利用希望者端末と接続され、利用希望者端末からのインターネット接続申込に応じた利用希望を利用管理サーバに利用希望として送信する送信手段と、利用管理サーバからの回答を受信し、利用希望者端末に対し回答として返信する返信手段と、を含むことが好ましい。
【００１５】
また、本発明に係る建物内ＬＡＮ利用管理システムにおいて、利用管理サーバは、さらに、利用管理サーバへのアクセスを許可する許可条件を承認したプロバイダーを登録して記憶する登録記憶部を含むことが好ましい。
【発明の効果】
【００１６】
上記構成により、建物内ＬＡＮは、インターネットに接続され建物内に引きこまれる専用引込み線を建物の各階用の支線に分配し、エレベータ昇降路の中に各階用支線を縦敷設し、各階用支線をそれぞれ昇降路各階の防火穴を介し建物各階の中継器に接続する建物内通信ケーブルにより構成される。したがって、かかるエレベータの昇降路の特性に着目して、新しい方式で建物内ＬＡＮを敷設することができる。
【００１７】
また、利用管理サーバは、各階の中継器の利用状況を記憶し、利用希望者からの利用希望を受け付けたときはその利用状況を検索して回答するので、その建物内ＬＡＮの利用管理を、各階の中継器の利用状況に合わせて容易に行うことができる。
【００１８】
また、さらに接続工事の可能日程を含む建物イベントを記憶し、利用希望者からの利用希望を受け付けたときはその可能日程を検索して回答するので、その建物内ＬＡＮの利用管理を、建物のイベント日程に応じて容易に行うことができる。
【００１９】
また、さらにプロバイダー別の利用条件を記憶し、利用希望者からの利用希望を受け付けたときはその利用条件を付して回答するので、利用希望者にとって便利である。
【００２０】
また、インターネットプロバイダーからの利用希望を受け付けるので、建物における利用希望者が自分の希望に合うインターネットプロバイダーを経由して利用希望を申し込んできたときにも、その仲介を行うことができる。
【００２１】
また、インターネットプロバイダーからの申し込みについては登録制とするので、建物内ＬＡＮの利用状況、建物イベント状況のデータ提供と引き換えに、登録料の支払い、接続利用料の割引等の有利な利用条件の提供を受ける等の管理を行うことができる。
【００２２】
以上のように、本発明に係る建物内ＬＡＮ利用管理システムによれば、エレベータの昇降路の特性に着目して、新しい方式で建物内ＬＡＮを敷設し、その建物内ＬＡＮの利用管理を行う建物内ＬＡＮ利用管理システムを提供することができる。
【発明を実施するための最良の形態】
【００２３】
以下に図面を用いて本発明に係る実施の形態につき詳細に説明する。以下の説明では、建物は既に建設済みのマンションで、マンション内にデータ通信用の建物内ＬＡＮが敷設されていない既設ビルであるものとし、これに新しく各階に渡って建物内ＬＡＮを敷設するリニューアルを行い、それに対し利用管理を行うものとするが、もちろん、マンション以外で、オフィス、店舗等の複数のテナント等がいるビルであってもよい。また、これから新しく建設する建物に、最初からこの実施の形態に係る建物内ＬＡＮ利用管理システムを適用するものとしてもよい。
【００２４】
また、利用管理サーバは、建物のオーナーの委託を受けて、複数のインターネットプロバイダーとの間の利用管理を行うものとするが、インターネットプロバイダーを１社に絞り、事実上、利用希望者との間の利用管理を行うものとしてもよい。
【００２５】
また、利用管理サーバは、利用管理の対象であるマンションの１階に設けられるものとして説明するが、もちろん別の階に設けてもよい。また、利用管理の対象であるマンションと別の建物、例えば、利用管理を委託された会社等の運営し易い場所にある建物内に設けてもよい。この場合には、利用管理サーバは、利用管理対象の建物内ＬＡＮに直接接続されなくても、インターネットを介し建物内ＬＡＮに接続されるものとできる。また、建物のオーナーの端末も利用管理の対象であるマンションの１階に設けられるものとして説明するが、もちろん別の階に設けてもよい。また、オーナーがその建物に居住していないときには、オーナーの利用に便利な建物にオーナー端末を設けるものとしてもよい。この場合にも、オーナー端末はインターネットを介し建物内ＬＡＮに接続するものとできる。
【００２６】
図１は、建物内ＬＡＮ利用管理システム１０の全体構成を示す図である。建物内ＬＡＮ利用管理システム１０は、インターネット１１に接続される建物内ＬＡＮ２０と、その建物内ＬＡＮ２０に接続される利用管理サーバ５０と、さらに建物内ＬＡＮ２０の利用を行う利用希望者の端末４０，４１と、インターネット１１に接続されるプロバイダー６０を含んで構成される。
【００２７】
図１に示す建物内ＬＡＮ利用管理システム１０は、既設のマンションである建物１２にエレベータ１６の昇降路１８の特性に着目して建物内ＬＡＮ２０を敷設し、その建物内ＬＡＮ２０の利用管理を行うものである。この場合、マンションのオーナーの委託を受けて建物内ＬＡＮ２０を敷設した業者がその建物内ＬＡＮ２０の特性を熟知しているので、その利用管理もその業者の下で利用管理サーバ５０を運営するのが、オーナー側、利用希望者側、プロバイダー側等から見て効率的である。したがって、以下では、建物内ＬＡＮ２０を敷設することと、その利用管理とを一元化して運営する形態として説明する。
【００２８】
最初に、建物内ＬＡＮ２０の構成及びその敷設について説明し、つぎに、敷設された建物内ＬＡＮ２０の利用管理について説明する。
【００２９】
Ａ．建物内ＬＡＮの敷設
以下の建物内ＬＡＮ２０の構成説明において、インターネットへの接続について、建物には光ケーブルで専用回線が引きこまれ、さらに各階の中継器までの支線も光ケーブルを用いるものとしたが、これらは導電体による通信線を用いてもよい。また、建物に専用回線を引きこむのは、地下を通り、エレベータ昇降路のピットに近いところで建物に導入されるものとしたが、建物の構造に合わせた他の導入場所としてもよい。例えば、建物の最上階にエレベータの機械室が設けられる場合等でそれに近いところで建物に専用回線を導入することが適している場合等には、建物の最上階から専用回線を建物内に導入するものと出来る。また、以下では、建物には１つのエレベータ昇降路があるものとして説明するが、複数の昇降路があってもよく、また、各階の支線への分配は１箇所で行うものとして説明するが、建物の構造によっては支線分配の容易な複数の場所に分配器を設けてもよい。
【００３０】
図１において、建物１２は、複数階、例えば８階の階層を有し、既に建設済みで、従来は建物内にデータ通信用回線が敷設されていない既設のマンションであって、今回、各階にデータ通信用回線を設置するリニューアルが行われ、図１に示す構造となったものである。この建物１２には、各階１４に昇降が可能なエレベータ１６のための昇降路１８が建物１２の縦方向を貫通して設けられている。
【００３１】
建物内ＬＡＮ２０は、インターネット１１から建物１２内に引きこまれる専用引込み線２２と、専用引込み線２２を建物の各階用の支線群２６に分配する建物内分配器２４と、建物内分配器２４からエレベータ１６の昇降路１８の中に縦敷設され、各階１４には、各支線３０が昇降路１８の防火壁に設けられた防火穴を介して通され、各階用中継器３４に接続される構成である。
【００３２】
各階用中継器３４には、予め複数の出力口が設けられ、後述する利用管理の方法に従い、マンションの居住者の端末４０，４１に接続される。図１では、建物内ＬＡＮ２０にこれから接続を希望する利用希望者の端末４０と、既に建物内ＬＡＮ２０の接続されている端末４１とが示されている。また、１階用中継器３４には、オーナー端末４２と、利用管理サーバ５０が接続されている。
【００３３】
専用引込み線２２は、インターネット１１から、建物ごとに専用に敷設される光ケーブルである。専用引込み線２２は、インターネット１１から地下の光ケーブル敷設管の中に配置され、建物１２の地下部分に設けられる建物内分配器２４に接続される。かかる専用引込み線２２は、建物１２の階層数や通信の想定される頻度に基づく必要通信容量に適した芯線数の光ファイバを被覆材で覆ったもので構成することができる。
【００３４】
建物内分配器２４は、専用引込み線２２の通信容量を建物の各階用の支線３０にそれぞれ分配する機能を有する。例えば、各階の通信の必要容量が等しいと想定されるときは、各階ごとに同じ通信容量を有する支線ケーブルが用いられ、上記の例では、８階分の８系列の支線３０に専用引込み線２２の通信容量が分配される。この場合は、各支線３０は、各１本ずつで構成することが好ましい。このようにすることで、建物の構造によらず、各支線３０の構成を同一にでき、予め工場で各支線３０の集合である支線群２６を製作して準備できる。もちろん、各支線３０の通信容量の合計が専用引込み線２２の通信容量を超えなければ、他の分配方法でもよい。例えば、将来の増設支線を考慮して、専用引込み線２２の通信容量の半分を各支線３０に均等に分配してもよく、各階の通信必要容量が異なるときは、それに応じた分配比で専用引込み線２２の通信容量を分配してもよい。
【００３５】
建物内分配器２４は、建物の地下部分で、昇降路１８の最下部のピットと呼ばれるところの近傍に設けられることが好ましい。エレベータ１６のピットには、昇降用電動機やエレベータ制御盤等が配置され、通常はそのピットの近くに、ピットに向けての電気配線等をまとめるためのＭＤＦ（Ｍａｉｎ  Ｄｉｓｔｒｉｂｕｔｉｏｎ  Ｆｒａｍｅ）コーナーと呼ばれる室空間が設けられ、ＭＤＦコーナーからピットに向けて昇降路１８の防火壁を貫く防火穴が電気配線等を通すために設けられる。したがって、建物内分配器２４は、好ましくはＭＤＦコーナー内に設けることがよい。このようにすることで、既設の建物内空間及び防火穴を用いて、建物内分配器２４を設置でき、防火穴を通して各階用の支線３０を昇降路１８内に導入することができる。
【００３６】
かかる建物内分配器２４は、光ハブと呼ばれる装置、例えば一定の通信容量を共有するＰＯＮ（Ｐａｓｓｉｖｅ  Ｏｐｔｉｃａｌ  Ｎｅｔｗｏｒｋ）技術、あるいは通信容量を設定して分配する光帯域制御技術等を用いる装置で構成することが出来る。
【００３７】
支線群２６は、各階の支線３０の集合であり、上記の例では、８系列の各階支線３０の集合である。支線群２６は、建物内分配器２４の出口では８系列の各階支線３０が１つの被覆で保護され、エレベータ１６の昇降路１８を最下部から上方に向かって敷設される。そして、１階まで延ばされたところで１階用の支線３０が分岐し、次に２階まで延ばされたところで２階用の支線３０がさらに分岐し、これを繰り返し、最上階の８回では８階用の支線３０のみが延ばされる。各支線３０は、専用引込み線２２と同様の構成で、通信容量の小さいものを用いることができる。
【００３８】
各階用の支線３０は、エレベータ１６の昇降路１８に縦方向に配置されるガイドババー又はガイドワイヤに適当な支持材で適宜止められ、上記のように、昇降路１８を上方に向かって延び、昇降路１８の各階のところで支線群２６から１本づつ分けられる。そして、昇降路１８の防火壁に設けられる防火穴３２を通り、各階１４の居住部分の共有廊下の天井に取り付けられた中継器３４の入力側に接続される。
【００３９】
防火穴３２は、防火壁の開口であるので、これを通って火災が広がらないようにする構造を有している。一例を示すと、防火穴３２には、両側から難燃性材料からなるアダプタがはめ込まれる。アダプタは、各階用支線３０を通すための細い貫通穴が設けられる鍔付きブッシュであり、その細い貫通穴には、各階用支線３０を通した後、難燃性の熱膨張性樹脂材料が詰められる。熱膨張性樹脂は、加熱することで膨脹し、万一火災等により加熱されると、膨脹して貫通穴の隙間をふさぎ、火災の広がりを阻止することができる。熱膨張樹脂は、細い貫通穴の部分以外の隙間にも必要に応じ詰めてよい。なお、各階のエレベータ乗場には、エレベータ１６を呼ぶための乗場操作盤が設けられ、その裏には乗場操作盤用の信号線を通す防火穴があるのが通常であるので、その防火穴を利用してもよい。
【００４０】
中継器３４は、光ケーブルである各階用支線３０によって伝送される光信号と、居住者の端末４０，４１等で使用される電気信号との間の変換を行う機能を有する装置である。かかる中継器３４は、光断続信号から電気断続信号へ、及び電気断続信号から光断続信号への双方向変換を行うことが出来るもので、いわゆるメディアコンバータとして市販されているものを用いることが出来る。
【００４１】
また、中継器３４の出力側は、予め定められた数の出力口を有し、その数は、各階の居住者の数を考慮し、また将来の利用希望の増加を見込んで、多めに設定される。各階用支線３０は、この各階用出力口数に対応する通信回線を満たすものが用いられる。
【００４２】
かかる構造の建物内ＬＡＮ２０の設置方法を説明する。既設の建物１２に新たに建物内ＬＡＮ２０を設けるリニューアルをするには、まず既存のＭＤＦコーナーに建物内分配器２４を設置する。そして、予め工場で製作した各階用支線群２６を建物１２のエレベータ昇降路１８の中に持ち込み、その一方端、すなわち各階用支線３０が分岐していない側を、エレベータ昇降路１８からＭＤＦコーナーに至る既存の防火穴を通し、ＭＤＦコーナー内の建物内分配器２４の出力側に接続する。
【００４３】
また、各階の居住部分の共用廊下の天井に予め各階用の中継器３４を取り付けておく。そして、昇降路１８内で、各階用支線群２６をガイドレールに沿って適当な支持材を用いて昇降路１８の上方に向けて延ばしながら縦敷設する。昇降路の１階付近まで延ばすと、その周辺の防火壁に設けられた防火穴３２を通し、１階用の中継器３４の入力側に接続する。この際、上記のように、必要な箇所に熱膨張性樹脂を詰めてコーキングする。このようにして、各階ごとに、各階支線３０を各階の防火穴３２に通し、各階用の中継器３４の入力側にそれぞれ接続する。
【００４４】
最上階まで各階支線３０を縦敷設し、それを最上階用中継器３４に接続が終わると、昇降路１８の関連する工事が終わる。その後、インターネット１１、具体的にはその基地局から専用引込み線２２を地下配管によって建物１２に向かって敷設し、建物１２に既設されている適当な導入口から建物１２内に導入し、ＭＤＦコーナーの建物内分配器２４の入力側に接続する。これで一連のリニューアル工事が終了する。
【００４５】
このように、既設の導入口、防火穴、ＭＤＦコーナー、昇降路、ガイドレール等を利用するので、建物１２に対する新たな工事を最小限に抑えることができ、リニューアル工期を短期間とし、コストも抑制することができる。また、昇降路の防火性、防犯性の面から、通信回線の保護が十分に行われる。さらに、通信回線周りのメンテナンスも、昇降路を用いることができ、作業性がよい。
【００４６】
Ｂ．建物内ＬＡＮの利用管理
建物内ＬＡＮ２０の利用管理は、利用管理サーバ５０により、利用希望者端末４０、インターネットのプロバイダー６０の端末、オーナー端末４２とのインターネット交信によって行われる。図２は、利用管理サーバ５０を含む建物内ＬＡＮ利用管理システム１０のブロック図である。利用管理サーバ５０は、ＣＰＵ７０、インターネット１１との交信を行う通信制御部７２、記憶装置７４を含んで構成される。インターネット１１には、建物１２における利用希望者端末４０、及びプロバイダー６０の端末が接続される。ここで、利用希望者端末４０は、また建物内ＬＡＮ２０に接続されていないので、一般のインターネット通信手段、例えば公衆電話回線２１を通して交信が行われる。その他の端末は、建物内ＬＡＮ２０を介し相互に交信可能であるので、図２には、かかる交信を行う経路としてネットワーク２１（２０）として示した。
【００４７】
利用管理サーバ５０の記憶装置７４には、利用状況ファイル９０、イベントファイル９２、利用条件ファイル９４、登録ファイル９６等の他、建物内ＬＡＮ利用管理プログラムが記憶される。
【００４８】
利用状況ファイル９０は、建物内ＬＡＮ２０の利用状況を記憶し、具体的には、各階の中継器３４の出力口数及び既利用口数に関連付けて利用状況を記憶する。したがって、利用階をキーとして検索することで、その階の中継器３４の全出力口数、及び既に他の端末に接続されている既利用口数、それらの間の差である利用可能口数を得ることが出来る。
【００４９】
イベントファイル９２は、建物内ＬＡＮ２０の各中継器３４に関する接続工事の可能日程を規定する建物イベントの日程を、各階の中継器に関連付けて記憶する。具体的には、各階をキーとして検索することで、その階の中継器３４の接続工事が出来ない日程一覧、又は接続工事可能日程一覧を得ることができる。この場合、必要に応じ、その理由となる建物１２に関するイベントの内容を検索することが出来る。
【００５０】
利用条件ファイル９４は、複数のインターネットプロバイダー６０から提供され、その建物内で接続を行った場合の特別あるいは一般の利用料金を含むプロバイダー６０別の利用条件を記憶する。具体的には、プロバイダー別の利用料金一覧を得ることができ、特定のプロバイダー名をキーとして、そのプロバイダーの提供するサービスの詳細内容を検索できる。
【００５１】
登録ファイル９６は、利用管理サーバへのアクセスを許可する許可条件を承認したプロバイダー６０を登録して記憶する。具体的には、承認プロバイダー一覧を得ることができる。承認プロバイダーをキーとして検索すると、利用条件ファイル９４にジャンプし、その承認プロバイダーの利用料金、提供サービスの詳細内容を得ることができる。
【００５２】
利用管理サーバ５０のＣＰＵ７０は、利用希望者からの利用希望を受け付け取得する希望取得部８０と、利用希望者に対し建物内ＬＡＮ２０の利用について回答する回答部８２と、複数のプロバイダーに対し、建物１２の利用希望者に対する特別あるいは一般の利用料金を含む利用条件の提供を求める利用条件提供要求部８４と、各プロバイダーからの各利用条件を取得し利用条件ファイル９４の内容を更新する利用条件更新部８６を含む。これらの機能はソフトウエアによって実現することができ、具体的には対応する建物内ＬＡＮ利用管理プログラムを実行することで実現できる。また、各機能の一部をハードウエアで実現するように構成してもよい。
【００５３】
各プロバイダー６０は、まだ建物内ＬＡＮ２０に接続されていない利用希望者端末４０と公衆電話回線等を介しインターネット接続し、すでに建物内ＬＡＮ２０に接続されている利用者の端末４１とは、建物内ＬＡＮ２０を介しインターネット接続し交信する。そして、各プロバイダー６０の端末は、利用希望者端末４０からのインターネット接続申込に応じた利用希望を利用管理サーバ５０に利用希望として送信する利用希望送信部６２と、利用管理サーバ５０からの回答を受信し、利用希望者端末４０に対し回答として返信する回答返信部６４を含んで構成される。
【００５４】
かかる構成の建物内ＬＡＮ利用管理システム１０の作用を、図３に従って説明する。図３は、建物内ＬＡＮ利用管理の手順を示すもので、建物１２の利用希望者端末４０と、プロバイダー６０の端末と、利用管理サーバ５０と、オーナー端末４２との間におけるやり取りを時系列に沿って表わした図である。
【００５５】
最初は、オーナー端末４２から、利用管理サーバ５０に対し、建物内ＬＡＮ２０の敷設及び利用管理を含めた管理の委託のメールが送られる（Ｓ１０）。それとともに、別途管理料が振込まれる（Ｓ１２）。管理料振込み工程はオーナー端末４２の手順ではないので、図３では破線で示してある。このようにして、オーナーから建物内ＬＡＮ２０の敷設の委託と、その利用管理が委託されて、建物内ＬＡＮ２０の利用管理を利用管理サーバ５０が開始する。
【００５６】
建物１２の利用希望者に対しインターネットサービスを提供しようとする各プロバイダー６０は、利用管理サーバ５０に対し、登録申込を送信し、利用管理サーバ５０はこれを受信する（Ｓ１４）。そして、これに伴い、登録申込をしたプロバイダー６０から登録料が振込まれる。この工程もプロバイダー６０の端末の手順ではないので、図３では破線で示した。利用管理サーバ５０は、登録料の振込みと、登録申込が有効であることを確認すると、そのプロバイダー６０を登録プロバイダーとして、記憶装置７４の登録ファイル９６に登録記憶する（Ｓ１６）。この登録により、以後、登録プロバイダー６０は、利用管理サーバ５０にアクセスでき、利用状況ファイル９０、イベントファイル９２等の内容を取得することが可能となる。
【００５７】
建物１２のユーザで、建物内ＬＡＮ２０を介するインターネット接続を希望する利用希望者はその端末４０から、利用申込をプロバイダー６０に対し行い、プロバイダー６０はこれを受信する（Ｓ１８）。そして、プロバイダー６０の端末は、利用希望送信部６２の機能により、利用管理サーバ５０に、その利用希望条件等を送信してアクセスし、利用管理サーバ５０はこれを受信する（Ｓ２０）。
【００５８】
利用管理サーバ５０は、希望取得部８０の機能により、受信内容を確認し、まずアクセスしてきたプロバイダー６０の登録が有るか否かを判断する（Ｓ２２）。具体的には記憶装置７４の登録ファイル９６において、そのプロバイダー名をキーとして検索し、登録の有無を確認する。登録有りのときは、アクセスしてきたプロバイダー６０に対し、記憶装置７４のデータのアクセスを許す。具体的には、利用状況ファイル９０及びイベントファイル９２の検索を許す（Ｓ２４）。検索は、利用希望者の利用希望階数をキーとして行い、その階の中継器３４の利用可能な出力口の有無、その接続工事の可能日程を取得する。
【００５９】
また、利用管理サーバ５０は、利用希望があった旨をオーナー端末４２に通知し、オーナー端末４２はこれを受信する（Ｓ２６）。オーナーはこれを見て、承諾又は拒否の返信を判断する（Ｓ２８）。この判断は、利用状況やイベントの確認であり、通常は承諾のヘ返信となるが、例えば、建物１２のイベントに漏れがあり、検索された工事可能日程が実は他のイベントと重なり工事が出来ない等のときは、その旨を返信する（Ｓ３０）。利用管理サーバ５０はこの返信を受信し、承諾か否かを判断し（Ｓ３２）、承諾のときは、回答部８２の機能により、プロバイダー６０の端末に回答し、プロバイダー６０の端末はこれを受信する（Ｓ３４）。具体的には、検索された利用状況、すなわち出力口が利用可能か、及び検索されたイベント、すなわち接続工事の可能日程を受信する。オーナー端末４２からの返信の内容が、イベントファイル９２の更新を要するときは、その内容に従ってデータを更新する。
【００６０】
プロバイダー６０の端末は、回答返信部６４の機能により、利用希望者端末４０に回答を返信し、利用希望者端末４０はこれを受信する（Ｓ３６）。この回答には、プロバイダー６０が、利用希望者端末４０のために、その対応する中継器３４に接続工事を実際に行う予定日を添付するのが好ましい。これにより利用希望者は、接続工事がいつ頃行われるのか知ることができる。
【００６１】
そして、プロバイダー６０は、その工事可能日程において、利用希望者端末４０を対応する中継器３４に接続する工事を行う（Ｓ３８）。この工程もプロバイダー６０の端末の手順でないので図３において破線で示した。工事が完了すると、プロバイダー６０の端末は、利用希望者端末４０と利用管理サーバ５０にその旨通知する（Ｓ４０、Ｓ４２）。利用希望者端末４０はこれを受信し、インターネットの交信利用を開始する（Ｓ４４）。
【００６２】
利用管理サーバ５０は、工事完了通知を受信すると、利用状況ファイル９０の内容を交信する。具体的には利用状況ファイル９０を開き、該当する中継器３４の既利用出力口の数を１つ増やす。
【００６３】
このようにして、利用希望者端末４０の中継器３４への接続工事が行われ、利用管理サーバ５０のデータは常に最新の状況に更新され、建物内ＬＡＮ２０の利用管理が行われる。
【００６４】
上記において、利用希望者端末４０からの申込はプロバイダー６０の端末を介して行われるものとした。したがって、利用希望者が、自分の望ましいプロバイダーを選択し、そのプロバイダーを指定することが出来る。これに対し、利用希望者がプロバイダーを一々吟味して選択するのが面倒、又は困難なときには、利用管理サーバ５０は、記憶装置７４の利用条件ファイル９４の内容を回答に添付することができる。
【００６５】
すなわち、利用管理サーバ５０は、利用条件提供要求部８４の機能により、予め、複数のプロバイダーに対し、建物１２の利用希望者に対する特別あるいは一般の利用料金を含む利用条件の提供を求める。そして、取得した利用条件を記憶装置７４の利用条件ファイル９４に記憶し、例えばＳ３４の回答の際に、全登録プロバイダーの利用条件一覧を添付することができる。これにより、利用希望者は、プロバイダーを今一度吟味することが容易となり、場合によっては、プロバイダー６０を変更して再申込することもできる。
【００６６】
さらに、利用管理サーバ５０は、プロバイダー６０を数社に絞り、利用希望者端末４０から直接利用管理サーバ５０に申込をするものとしてもよい。この場合には、利用希望者端末４０はプロバイダー６０を指定しないので、申込があれば、利用管理サーバ５０は、希望取得部８０の機能により、まず、利用条件ファイル９４の内容を利用希望者端末４０に返信する。その際に、推奨プロバイダーを指定することもできる。利用希望者は、そのプロバイダー利用条件一覧を見て、自分のよいと考えるプロバイダーを指定することもでき、推奨プロバイダーでよいと返信することもできる。このようにして、プロバイダー６０が決定すれば、図３のＳ２４以降の工程が実行され、指定のプロバイダー６０によって接続工事が行われることになる。
【００６７】
複数のプロバイダー６０に対し、利用条件提供の要求は、適宜行われ、利用条件を変更しての提供があれば、利用条件更新部８６の機能により、記憶装置７４の利用条件ファイル９４の内容が更新される。利用条件提供の要求は、例えば、建物内ＬＡＮ２０のリニューアルが完了したとき、転勤時期等でマンションである建物１２の居住者が大幅に入れ替わったとき、利用希望者が多数となったとき等に行われるのが好ましい。
【図面の簡単な説明】
【００６８】
【図１】本発明に係る実施の形態における建物内ＬＡＮ利用管理システムの全体構成を示す図である。
【図２】本発明に係る実施の形態における建物内ＬＡＮ利用管理システムのブロック図である。
【図３】本発明に係る実施の形態における建物内ＬＡＮ利用管理の手順を示す図である。
【符号の説明】
【００６９】
１０  建物内ＬＡＮ利用管理システム、１１  インターネット、１２  建物、１４  各階、１６  エレベータ、１８  昇降路、２０  建物内ＬＡＮ、２２  専用引込み線、２４  建物内分配器、２６  支線群、３０  支線、３２  防火穴、３４  中継器、４０  利用希望者端末，４１  端末、４２  オーナー端末、５０  利用管理サーバ、６０  プロバイダー、６２  利用希望送信部、６４  回答返信部、７０  ＣＰＵ、７２  通信制御部、７４  記憶装置、８０  希望取得部、８２  回答部、８４  利用条件提供要求部、８６  利用条件更新部、９０  利用状況ファイル、９２  イベントファイル、９４  利用条件ファイル、９６  登録ファイル。
【図１】
2006173667.tif 000003
【図２】
2006173667.tif 000004
【図３】
2006173667.tif 000005